(57)【特許請求の範囲】
【請求項１】
断面コ字形状の長尺体である溝型ガラスを用いたガラス壁ユニットであって、
溝型ガラスのコ字形状断面の開放面が、該溝型ガラスに接合される平板ガラスにより全長に渡って閉塞され、両端が開放された矩形中空部を有し、
かつ、前記平板ガラスの周縁には、溝型ガラスの周縁から張り出す張出部が延設されるガラス壁ユニット。
【請求項２】
断面コ字形状の長尺体である溝型ガラスを用いたガラス壁ユニットであって、
溝型ガラスの複数と、１枚の平板ガラスとを有し、
各溝型ガラスは平板ガラス上にコ字形状断面の開放面が閉塞される姿勢で並列に接合され、平板ガラス上に両端が開放された矩形中空部の複数を配置し、
かつ、前記平板ガラスの周縁には、溝型ガラスの周縁から張り出す張出部が延設されるガラス壁ユニット。
【請求項３】
前記平板ガラスと溝型ガラスとが耐熱性シーリング材により接合され、かつ、平板ガラスが網入りガラスである請求項１または２記載のガラス壁ユニット。
【請求項４】
請求項１ないし３のいずれかに記載のガラス壁ユニットを張出部において建物躯体側に形成された矩形の壁取付部に固定してなるガラス壁構造。
【発明の詳細な説明】
【０００１】
【発明の属する技術分野】
本発明はガラス壁ユニットに関するものである。
【０００２】
【従来の技術】
ガラスにより壁面を構成する場合、風圧等に対する強度を考慮して断面二次モーメントの大きな断面コ字形状の溝型ガラスが多用される。
【０００３】
【発明が解決しようとする課題】
しかし、上述した溝型ガラスを構成要素として構築されたガラス壁は、機械的には所定の強度を得ることができるものの、熱的には、１枚のガラスとして機能することには変わりはなく、断熱性、遮音性の向上は期待することができない。
【０００４】
また、溝型ガラスのみにより外壁等を構成する場合には、火災時等における溝型ガラスの破壊、崩落のおそれもあり、防火仕様上の機能を満足することができないという問題もあり、使用用途が限られてしまうという欠点がある。
【０００５】
本発明は、以上の欠点を解消すべくなされたものであって、断熱性等に優れたガラス壁を構成することのできるガラス壁ユニットの提供を目的とする。
【０００６】
さらに、本発明の他の目的は、防火仕様等に対応可能なガラス壁面の提供にある。
【０００７】
【課題を解決するための手段】
本発明によれば上記目的は、
断面コ字形状の長尺体である溝型ガラス１を用いたガラス壁ユニットであって、
溝型ガラス１のコ字形状断面の開放面が、該溝型ガラス１に接合される平板ガラス２により全長に渡って閉塞され、両端が開放された矩形中空部を有し、
かつ、前記平板ガラス２の周縁には、溝型ガラス１の周縁から張り出す張出部４が延設されるガラス壁ユニットを提供することにより達成される。
【０００８】
参考例である図１に示すように、溝型ガラス１は長手通し両側縁に側壁部１ａを立ち上げて断面コ字形状に形成される長尺体であり、長手通しに形成される開放面が対向する側壁部１ａの自由端縁間に張り渡される平板ガラス２により全長に渡って閉塞されてロ字形状の閉断面形状とされる。
【０００９】
溝型ガラス１としては、適宜のものが使用可能であるが、商品名プロフィリット（独国ＢＡＵＧＬＡＳ ＩＮＤＵＳＴＲＩＥ ＧｍｂＨ社の登録商標）が使用できる。平板ガラス２による溝型ガラス１の開放面の閉塞は、参考例である図１（ａ）に示すように、平板ガラス２の端面を溝型ガラス１の側壁部１ａ内壁に接合することによって、溝型ガラス１の側壁部１ａに平板ガラス２の端面が露出しないように構成することも可能であるが、本発明に係る図４（ａ）に示すように、平板ガラス２を溝型ガラス１の開放面に被せるように配置し、溝型ガラス１の側壁部１ａ開放端縁に平板ガラス２の側縁裏面を接合してすることもでき、これら平板ガラス２の固定方法は、平板ガラス２の強度を配慮して適宜決定される。
【００１０】
以上のように構成されるガラス壁ユニットＵは、例えば、溝型ガラス１を縦方向姿勢にして上下端を建物の建物躯体５側に設けられたサッシ等の壁取付部６に固定しながら、横方向にシーリング材７等を介在させながら並設してガラス壁面を構築する際に使用することができる。
【００１１】
したがってこの発明によれば、各ガラス壁ユニットＵが中空矩形断面形状を有するために、該ガラス壁ユニットＵを並設して壁面を構成すると、壁面内に空気が封入された状態となり、遮音性、断熱性が向上する。また、各ガラス壁ユニットＵの幅寸法（Ｗ）が壁面全体の幅方向寸法に比して小寸であるために、曲面状、あるいは平面状の壁面等が容易に構築でき、設計自由度が向上する。さらに、ガラス壁ユニットＵ全体の投光性は光透過方向に平板ガラス２が加わるだけであるために、溝型ガラス１を単体として使用する場合に比して大きく低下することがなく、ガラス壁の特徴である採光性を損なうことがない。加えて、平板ガラス２に適宜の色彩を施すことによって溝型ガラス１の色彩に平板ガラス２の色彩を写り込ませて溝板ガラス側から見た壁面色を調整したり、あるいは平板ガラス２側からの色彩を好みの色に設定したりすることが可能になり、壁面設計の自由度が高まる。
【００１２】
また、ガラス壁ユニットＵは、溝型ガラス１の幅方向寸法にほぼ等しい幅寸法（Ｗ）を有する壁面構築部材として構成する以外に、断面コ字形状の溝型ガラス１の複数と、１枚の平板ガラス２とから構成することができる。溝型ガラス１は平板ガラス２上に開放面が閉塞される姿勢で並列に接合され、ガラス壁ユニットＵは、平板ガラス２上に複数の矩形中空部を配置した形状となる。かかるガラス壁ユニットＵは、例えば、建物の建物躯体５開口に単板としてはめ込まれて壁面を構成したり、あるいは複数枚を側方に並設して壁面を構築する際に使用することができ、施工現場での作業性を向上させることができる。
【００１３】
溝型ガラス１と平板ガラス２の接合には、定形シリコーンシーリング材が使用でき、例えば、商品名ポリマエース（信越ポリマー株式会社の登録商標）を使用できる。溝型ガラス１と平板ガラス２とを弾性を有するシーリング材により接合することは、平板ガラス２と溝型ガラス１との熱膨張の差、あるいは振動を吸収するのに有効である。
【００１４】
また、上記シーリング材として耐火性、あるいは耐熱性シーリング材３により接合し、平板ガラス２を網入りガラスとした場合には、壁面の耐熱性および耐火性を向上させることができる。かかる構成のガラス壁ユニットＵを屋内側平板ガラス２、屋外側溝型ガラス１として配置して壁面を構築すると、屋内側で火災が発生した場合でも、熱源側に網入りガラスにより形成される平板ガラス２が配置されるために、容易に崩落することがない。この結果、防火性能を著しく向上させることが可能になる。
【００１５】
上述した平板ガラス２の周縁には、溝型ガラス１の周縁から張り出す張出部４が延設される。張出部４は、建物の建物躯体５側に形成される矩形状の壁取付部６にガラス壁ユニットＵを固定する際の固定代として利用することができ、形成位置は、後述するように、壁取付部６との位置関係、および壁取付部６への固定方法を考慮して適宜決定される。
【００１６】
図１、２に本発明の参考例を示す。この参考例において、ガラス壁ユニットＵは、正面壁１ｂの両側縁から立ち上がる側壁部１ａを備えた断面コ字形状の溝型ガラス１に平板ガラス２を固定して形成される。溝型ガラス１は、壁面の高さ寸法（Ｈ）にほぼ一致する長さを有して長尺に形成される。この溝型ガラス１の肉厚（ｔ１）、幅寸法（Ｗ）、および側壁部１ａの高さ寸法（Ｈ１）等は、壁面構成体として要求される強度、剛性等を考慮して適宜決定されるが、この実施の形態においては、肉厚（ｔ１）７ｍｍ程度、幅（Ｗ）２６０ｍｍ程度、側壁部１ａの高さ（Ｈ１）６０ｍｍ程度のものが使用される。
【００１７】
また、平板ガラス２には、ガラス主体部の中央部に網が入れられた板厚６ｍｍないし１０ｍｍ程度のいわゆる網入りガラスが使用され、溝型ガラス１の長手寸法にほぼ一致する長さに形成される。この平板ガラス２は側壁部１ａ間に嵌合可能な幅寸法（Ｗ１）を有し、図１（ａ）に示すように、両側端面を側壁部１ａの内壁に固定することにより、溝型ガラス１の開放面を全長に渡って閉塞する。平板ガラス２の固定には、弾性、および耐熱性を有するシーリング材３が使用され、弾性変形能を確保するために、３ｍｍないし５ｍｍ程度の厚み（ｔ３）で介装される。
【００１８】
以上のように構成されるガラス壁ユニットＵは、溝型ガラス１の側壁部１ａ端面が外部に露出した状態の中空矩形断面をなしており、図２に示すように使用されてガラス壁面が構築される。
【００１９】
まず、ガラス壁面の構築に際して、建物の建物躯体５側には、サッシにより矩形の壁取付部６が形成され、ガラス壁ユニットＵは、縦向きで、かつ、溝型ガラス１が屋外側に位置する姿勢で上下端を壁取付部６に固定される。ガラス壁ユニットＵの上下端の固定は、図２（ｂ）に示すように、溝型ガラス１の上下端を壁取付部６に呑み込ませ、耐熱性のシーリング材７により固定したり、あるいは、図３に示すように、平板ガラス２の長手寸法を溝型ガラス１の全長よりやや長寸に形成することによって、溝型ガラス１からの上下方向のはみ出し部分を張出部４とし、該張出部４を壁取付部６に固定することにより行われる。
【００２０】
以上のようにして上下端が壁取付部６の横枠に固定されたガラス壁ユニットＵは、図２（ｃ）に示すように、隣接するガラス壁ユニットＵ間をシーリング材７により埋めながら幅方向に並べられる。シーリング材７には耐火性、あるいは耐熱性を有するものが使用される。壁取付部６の縦枠への固定は、溝型ガラス１を切断して得た断面Ｌ字形状の固定用ガラス１’を縦枠に固定して行われる。
【００２１】
図４に上述した参考例の変形例、および本発明の実施の形態を示す。なお、本変形例、および以下に述べる実施の形態の説明において、上述した参考例と実質的に同一の構成要素は図中に同一符号を付して説明を省略する。
【００２２】
この変形例において、平板ガラス２の幅寸法は溝型ガラス１の幅寸法（Ｗ１）とほぼ等しく形成され、ガラス壁ユニットＵは、溝型ガラス１の側壁部１ａ端面に平板ガラス２を固定して形成される。平板ガラス２を固定した状態でガラス壁ユニットＵは、側壁部１ａに平板ガラス２の側端面が露出した状態の中空矩形断面に形成され、上述したと同様の方法で壁取付部６に固定される。また、平板ガラス２が両側端面を露出させて溝型ガラス１に固定されるこの変形例においては、本発明の実施の形態に係る図４（ｂ）（ｃ）に示すように、壁取付部６に対応するガラス壁ユニットＵの平板ガラス２を溝型ガラス１より幅広とし、溝型ガラス１からはみ出した張出部４において壁取付部６に固定することもできる。
【００２３】
なお、図１〜４においては、ガラス壁は厚み方向に１組のガラス壁ユニットＵを配置することにより形成されているが、図５に示すように、２組のガラス壁ユニットＵを予め耐熱性シーリング材３で接合しておき、これを単位として幅方向に並べてガラス壁を構成することもできる。この場合、ガラス壁ユニットＵの組み合わせ方法としては、図５（ａ）に示すように、平板ガラス２を対峙させて接合する以外に、図５（ｂ）に示すように、平板ガラス２を背向させ、屋内、屋外側に平板ガラス２を露出させることもできる。
【００２４】
図６に本発明の第２の実施の形態を示す。この実施の形態において、ガラス壁ユニットＵは建物躯体５側の壁取付部６の開口面積とほぼ同じ大きさの１枚の平板ガラス２に複数の溝型ガラス１、１・・を接合して形成される。壁取付部６の高さ寸法にほぼ等しい長さの溝型ガラス１は側壁部１ａの端面を平板ガラス２に当接させて平板ガラス２上に所定ピッチで平行に並べられ、耐熱性シーリング材３により接合される。
【００２５】
以上のようにして形成されたガラス壁ユニットＵは、溝型ガラス１の配置領域から左右両側に平板ガラス２がはみ出すことにより形成される張出部４を備えており、図７（ａ）に示すように、該張出部４を壁取付部６に固定することにより設置される。平板ガラス２の壁取付部６への固定は、張出部４を嵌合溝６ａに嵌合させた後、耐熱性、あるいは耐火性のシーリング材３を嵌合溝６ａに充填して行われる。
【００２６】
なお、図７（ａ）においては、壁取付部６がサッシにより形成されている場合を示したが、図７（ｂ）に示すように、建物躯体５側に直接固定することも可能であり、この場合、張出部４はモルタル９を使用して固定される。
【００２７】
さらに、図６においてガラス壁ユニットＵは左右両端にのみ張出部４を備えていたが、図８に示すように、大きな平板ガラス２を使用し、溝型ガラス１の配置領域６の四周に張出部４を設定することも可能である。
【００２８】
【発明の効果】
以上の説明から明らかなように、本発明によれば、広い用途で使用可能なガラス壁を構築することができる。
【図面の簡単な説明】
【図１】  参考例を示す図で、（ａ）は断面図、（ｂ）は（ａ）の１Ｂ方向矢視図である。
【図２】  ガラス壁面を示す図で、（ａ）は正面図、（ｂ）は（ａ）の２Ｂ-２Ｂ線断面図、（ｃ）は（ａ）の２Ｃ-２Ｃ線断面図である。
【図３】  図１の変形例としての本発明の実施の形態を示す図で、（ａ）は裏面図、（ｂ）は壁取付部への固定状態を示す断面図である。
【図４】  図１の他の変形例、および本発明の実施の形態を示す図で、（ａ）は他の変形例の断面図、（ｂ）は（ａ）の変形例としての本発明の実施の形態を示す断面図、（ｃ）は壁取付部への固定状態を示す断面図である。
【図５】  図１の変形例を示す断面図である。
【図６】  本発明の第２の実施の形態を示す図で、（ａ）は断面図、（ｂ）は（ａ）の６Ｂ方向矢視図である。
【図７】  壁取付部への固定状態を示す断面図で、（ａ）はサッシを使用する場合、（ｂ）は躯体に直接固定する場合を示す。
【図８】  図６の変形例を示す正面図である。
【符号の説明】
１          溝型ガラス
２          平板ガラス
３          耐熱性シーリング材
４          張出部
５          建物躯体
６          壁取付部
Ｕ          ガラス壁ユニット
【図１】
0003980357.tif 000002
【図２】
0003980357.tif 000003
【図３】
0003980357.tif 000004
【図４】
0003980357.tif 000005
【図５】
0003980357.tif 000006
【図６】
0003980357.tif 000007
【図７】
0003980357.tif 000008
【図８】
0003980357.tif 000009